(57)【要約】【課題】ドラム内に広範囲に光照射することができる照明機能を提供する。【解決手段】水槽３前面部に設けられ回転ドラム４内を光照射する発光装置２１を備え、発光装置２１は、発光源３４を発光源固定ケース３３に固定した発光部３１を、透明樹脂材にて形成された有底筒状の発光装置カバー３２にて内包して構成され、発光装置カバー３２を水槽３の開口部側の上方に設けた貫通孔３ａに嵌着固定し、水槽３の貫通孔３ａ下端から発光源３４にて発光した光を回転ドラム４内に照射することにより、発光源３４を照射方向に対して直角に実装する必要がないので製造が簡単になるとともに、回転ドラム４内を広範囲に照射することができる。【選択図】図２
2017023523.tif 000002
【特許請求の範囲】
【請求項１】
有底円筒状に形成された回転ドラムと、前記回転ドラムを回転自在に内包する水槽と、前記回転ドラムを回転駆動するモータと、前記水槽を揺動自在に弾性支持した洗濯機筐体と、前記水槽前面部に設けられ前記回転ドラム内を光照射する発光装置と、前記モータ、前記発光装置等を制御して、洗い、すすぎ、脱水等の各行程を制御する制御手段とを備え、前記発光装置は、発光源を発光源固定ケースに固定した発光部を、透明樹脂材にて形成された有底筒状の発光装置カバーにて内包して構成され、前記発光装置カバーを前記水槽の開口部側の上方に設けた貫通孔に嵌着固定し、前記水槽の前記貫通孔下端から前記発光源から発光した光を前記回転ドラム内に照射するドラム式洗濯機。
【請求項２】
発光装置は、発光装置カバーの回転ドラム内を臨む下端部の発光源前面側の内面部を内側に膨らむ内面球面状部に形成し、外面部を外側に膨らむ外面球面状部に形成して、前記発光源から発光した光を屈折し拡散させて、前記回転ドラム内を照射する請求項１に記載のドラム式洗濯機。
【発明の詳細な説明】
【技術分野】
【０００１】
本発明は、ドラム内に光を照射する機能を備えたドラム式洗濯機に関するものである。
【背景技術】
【０００２】
従来、この種のドラム式洗濯機では、照明効果や除菌・抗菌性能を得るために、回転ドラム内の洗濯物に向けて紫外線を照射する発光装置を設けた構成が提案されている（例えば、特許文献１参照）。
【０００３】
図６は、特許文献１に記載された従来のドラム式洗濯機の要部断面図、図７は、同ドラム式洗濯機の発光装置の組立図を示すものである。
【０００４】
図６、図７において、発光装置１２１は、水槽１０３の上面より水槽１０３に貫通穴１３０に嵌着固定され、発光装置１２１がＯＮ状態になった時、発光装置１２１からの紫外線発光状態は斜線部Ａのような略扇状に広がって洗濯物に注がれる。
【０００５】
発光装置１２１は、発光源１３６と発光源固定ケース１３５とを一体的にユニット化した発光部１３１と、発光部１３１を収納する発光装置カバー１３２と、透明板１３３および透明板１３３を保持する透明板固定板１３４と、発光部１３１を発光装置カバー１３２内部に収納後上方より密閉固定する蓋１３７とにより構成されている。
【先行技術文献】
【特許文献】
【０００６】
【特許文献１】特開２００９−７７７４９号公報
【発明の概要】
【発明が解決しようとする課題】
【０００７】
しかしながら、前記従来の構成では、発光装置の下端部が複数の部品で構成され、発光源が照射方向に対して略垂直に取り付けられているため、製造が複雑であるとともに、透明板の透明範囲が狭くなり、照射範囲が狭くなるという課題があった。
【０００８】
本発明は、上記従来の課題を解決するもので、製造が簡単で、回転ドラム内を広範囲に照射できるドラム式洗濯機を提供することを目的とする。
【課題を解決するための手段】
【０００９】
前記従来の課題を解決するために、本発明のドラム式洗濯機は、有底円筒状に形成された回転ドラムと、前記回転ドラムを回転自在に内包する水槽と、前記回転ドラムを回転駆動するモータと、前記水槽を揺動自在に弾性支持した洗濯機筐体と、前記水槽前面部に設けられ前記回転ドラム内を光照射する発光装置と、前記モータ、前記発光装置等を制御して、洗い、すすぎ、脱水等の各行程を制御する制御手段とを備え、前記発光装置は、発光源を発光源固定ケースに固定した発光部を、透明樹脂材にて形成された有底筒状の発光装置カバーにて内包して構成され、前記発光装置カバーを前記水槽の開口部側の上方に設けた貫通孔に嵌着固定し、前記水槽の前記貫通孔下端から前記発光源にて発光した光を前記回転ドラム内に照射する構成としたものである。
【００１０】
これによって、発光源の装着角度を最適化でき、小さい装着容積で、ドラム内を広範囲に照射できる。
【発明の効果】
【００１１】
本発明のドラム式洗濯機は、簡単な構成で、回転ドラム内を広範囲に照射することができる。
【図面の簡単な説明】
【００１２】
【図１】本実施の形態におけるドラム式洗濯機の断面図
【図２】同ドラム式洗濯機の要部断面図
【図３】同ドラム式洗濯機の発光装置の組立図
【図４】（ａ）同ドラム式洗濯機の発光部の平面図、（ｂ）同ドラム式洗濯機の発光部の部分断面側面図
【図５】同ドラム式洗濯機の発光装置の下端部の拡大断面図
【図６】従来のドラム式洗濯機の要部断面図
【図７】同ドラム式洗濯機の発光装置の組立図
【発明を実施するための形態】
【００１３】
第１の発明は、有底円筒状に形成された回転ドラムと、前記回転ドラムを回転自在に内包する水槽と、前記回転ドラムを回転駆動するモータと、前記水槽を揺動自在に弾性支持した洗濯機筐体と、前記水槽前面部に設けられ前記回転ドラム内を光照射する発光装置と、前記モータ、前記発光装置等を制御して、洗い、すすぎ、脱水等の各行程を制御する制御手段とを備え、前記発光装置は、発光源を発光源固定ケースに固定した発光部を、透明樹脂材にて形成された有底筒状の発光装置カバーにて内包して構成され、前記発光装置カバーを前記水槽の開口部側の上方に設けた貫通孔に嵌着固定し、前記水槽の前記貫通孔下端から前記発光源にて発光した光を前記回転ドラム内に照射する構成とすることにより、発光源の発光ダイオードを照射方向に対して直角に実装する必要がないので製造が簡単になるとともに、回転ドラム内を広範囲に照射することができる。
【００１４】
第２の発明は、特に、第１の発明の発光装置は、発光装置カバーの回転ドラム内を臨む下端部の発光源前面側の内面部を内側に膨らむ内面球面状部に形成し、外面部を外側に膨らむ外面球面状部に形成して、前記発光源から発光した光を屈折し拡散させて、前記回転ドラム内を照射する構成とすることにより、発光源の発光ダイオードを照射方向に対して直角に実装する必要がないので製造が簡単になるとともに、回転ドラム内をより広範囲に照射することができる。
【００１５】
以下、本発明の実施の形態について、図面を参照しながら説明する。また、この実施の形態によって本発明が限定されるものではない。
【００１６】
（実施の形態１）
図１は、本実施の形態１におけるドラム式洗濯機の断面図、図２は、同ドラム式洗濯機の要部断面図、図３は、同ドラム式洗濯機内に設置された発光装置の組立図、図４（ａ）は、同ドラム式洗濯機の発光部の平面図、図４（ｂ）は同発光部の部分断面側面図、図５は、同ドラム式洗濯機の発光装置の下端部の拡大断面図である。
【００１７】
図１において、前方に円状の衣類投入口４ａを有する回転ドラム４と、回転ドラム４を収容する水槽３とを水平方向から上向き方向に角度θで傾斜させて洗濯機筐体２内に配設している。回転ドラム４を上向き方向に傾斜させることにより、回転ドラム４内への洗濯物の出し入れを容易にしたドラム式洗濯機を構成している。
【００１８】
回転ドラム４は、有底円筒形の開口部側を洗濯機筐体２の正面側に、底面側を洗濯機筐体２の背面側にして、回転ドラム４の回転軸心Ｒが正面側から背面側に向けて角度θで下向き傾斜となるようにして水槽３内に配置され、回転ドラム４の回転軸１０は水槽３の背
面に設けられた軸受１１で軸支されている。
【００１９】
回転軸１０には、従動プーリ７が装着され、水槽３の下面に取り付けられたモータ（図示せず）の駆動により、ベルト（図示せず）、従動プーリ７を介して回転ドラム４が回転駆動される。回転ドラム４の周面には、衣類攪拌用のバッフル８および多数の透孔９が設けられ、水槽３内との間で水の流通ができるようになっており、回転ドラム４の回転によりバッフル８で洗濯物を上方に持ち上げ、上方から落下させる叩き洗いの作用がなされるよう構成される。
【００２０】
また、洗濯機筐体２の内の前面下部には、モータ等を制御して、洗い、すすぎ、脱水等の各行程を制御する制御手段（図示せず）を有する制御装置６が配設されている。
【００２１】
発光装置２１は、水槽３の上面より回転ドラム４内を臨むように水槽３に設けた貫通孔３ａに嵌着固定され、洗濯機の電源がＯＮされた際に、制御手段が発光装置２１に通電する。発光装置２１は、発光状態では斜線部Ａのような略扇状に広がって回転ドラム４内に注がれる。
【００２２】
図２において、発光装置２１は、水槽３に形成された貫通孔３ａに嵌挿され、貫通孔３ａ内に水槽３外部に水漏れ等のないようにゴムパッキン３７を介して嵌着して固定されている。また、発光装置２１の下端は、貫通孔３ａの下端の位置まで到達しており、回転ドラム４内を照射できる位置に固定されている。
【００２３】
図３において、発光装置２１は、発光源３４と発光源固定ケース３３とを一体的にユニット化した発光部３１と、発光部３１を収納する透明樹脂で形成された発光装置カバー３２と、発光部３１を発光装置カバー３２内部に収納後、上方より密閉固定する蓋３５とにより構成されており、制御装置と接続するコネクタ４２と、発光部３１とコネクタ４２を中継するリード線４１が設けられている。
【００２４】
図４（ａ）、（ｂ）において、発光源３４は、プリント基板３９、発光ダイオード４０等と、リード線４１、コネクタ４２等で構成されており、リード線４１は、あらかじめ発光源固定ケース３３に設けられたケース貫通孔３３ｂに通した状態で、プリント基板３９に半田付けされている。
【００２５】
また、発光源３４は、プリント基板３９を発光源固定ケース３３の発光源収納部３３ａ内に固定することで、発光源固定ケース３３と一体的にユニット化している。
【００２６】
図５において、発光装置カバー３２は、透明樹脂材で形成されている。発光装置カバー３２の下端部は、発光ダイオード４０前面に対向する位置する内面部を内側に膨らむ内面球面状部３２ａに形成し、外面部を外側に膨らむ外面球面状部３２ｂに形成している。これにより、発光装置カバー３２の発光に対する面角度が異なり、不均一な厚みで形成されることにより、発光ダイオード４０から発光した光を、発光装置カバー３２の透過時に屈折させ、広範囲に拡散して照射する構成となっている。
【００２７】
以上のように構成されたドラム式洗濯機について、以下その動作、作用を説明する。
【００２８】
扉体５を開いて回転ドラム４内に洗濯物及び洗剤を投入して洗濯機の運転を開始させると、水槽３内には所定量の注水がなされ、回転ドラム４が回転駆動されて洗濯行程が開始される。
【００２９】
発光装置２１は、扉体５の開閉状態にかかわらず、制御手段（図示せず）がＯＮ状態に
なったとき、回転ドラム４内部に光を照射するが、この発光装置２１は発光ダイオード４０の前方に透明樹脂で形成された発光装置カバー３２のみが配置されており、発光装置カバー３２の光が通過する内面球面状部３２ａ、外面球面状部３２ｂは面角度が異なり、不均一な厚みで形成されているために、発光ダイオード４０から発光した光を屈折させ拡散することができ、ドラム内を特に広範囲に照射することができる。
【００３０】
また、発光ダイオード４０から発光した光の照射角度を、屈折により変えることができることから、発光ダイオード４０を照射方向に対して略直角に実装する必要がなく、発光源装着角度を装着スペースの中で最適化することができ、小さい装着容積の中で構成することができる。
【００３１】
なお、本実施の形態では、回転ドラムを傾斜配置した斜めドラム形式のドラム式洗濯機に適用した例を示したが、回転ドラムを水平方向に配置した一般的な構成においても同様に適用することができる。
【００３２】
以上のように、本実施の形態においては、発光装置２１は、発光源３４を発光源固定ケース３３に固定した発光部３１を、透明樹脂材にて形成された有底筒状の発光装置カバー３２にて内包して構成され、発光装置カバー３２を水槽３の開口部側の上方に設けた貫通孔３ａに嵌着固定し、水槽３の貫通孔３ａ下端から発光源３４にて発光した光を回転ドラム４内に照射する構成とすることにより、発光源３４を照射方向に対して略直角に実装する必要がないので、構成が簡単になるとともに、回転ドラム４内を広範囲に照射することができる。
【００３３】
また、発光装置２１は、発光装置カバー３２の回転ドラム４内を臨む下端部の発光源３４前面側の内面部を内側に膨らむ内面球面状部３２ａに形成し、外面部を外側に膨らむ外面球面状部３２ｂに形成して、発光源３４から発光した光を屈折し拡散させて、回転ドラム４内を照射する構成とすることにより、発光源３４を照射方向に対して略直角に実装する必要がないので、構成が簡単になるとともに、回転ドラム４内をより広範囲に照射することができる。
【産業上の利用可能性】
【００３４】
以上のように、本発明にかかるドラム式洗濯機は、発光源の発光ダイオードを照射方向に対して略直角に実装する必要がないので、構造が簡単になるとともに、回転ドラム内をより広範囲に照射することが可能となるので、他の洗濯機などの用途に適用できる。
【符号の説明】
【００３５】
２  洗濯機筐体
３  水槽
３ａ  貫通孔
４  回転ドラム
２１  発光装置
３１  発光部
３２  発光装置カバー
３２ａ  内面球面状部
３２ｂ  外面球面状部
３３  発光源固定ケース
３３ａ  発光源収納部
３４  発光源
【図１】
2017023523.tif 000003
【図２】
2017023523.tif 000004
【図３】
2017023523.tif 000005
【図４】
2017023523.tif 000006
【図５】
2017023523.tif 000007
【図６】
2017023523.tif 000008
【図７】
2017023523.tif 000009